(57)【要約】【課題】エアバッグカバーの連結孔にケースの係止フックを挿入させて連結する構造としても、簡便に、ガタツキを抑えて連結できるエアバッグ装置の提供。【解決手段】エアバッグを収納するベース壁部１３と筒状壁部１４とを有する金属製のケース１２と、扉配設壁部４１と連結壁部４５とを有する合成樹脂製のエアバッグカバー４０と、を備える。筒状壁部に設けられた係止フック２０が、連結壁部の連結孔４９，５２に係止されて、エアバッグカバーをケースに連結する。エアバッグカバーとケースとには、連結完了後のベース壁部への扉配設壁部の接近を規制する接近規制部７０と、ベース壁部からの扉配設壁部の離隔を規制する離隔規制部７５と、を備える。接近規制部は、当接部７１と、当接部の先端面７１ａを受止面７２ａに当接させる受止座７２と、からなる。離隔規制部は、係止孔７６と、離隔方向ＲＤへの移動時に係止孔を係止する係止突起７８と、からなる。【選択図】図３
2019119263.tif 000002
【特許請求の範囲】
【請求項１】
折り畳まれたエアバッグを収納できるように、ベース壁部と該ベース壁部の外周縁から延びる筒状壁部と、を有して、前記筒状壁部により囲まれた開口を、膨張するエアバッグの突出用開口とする金属製のケースと、
前記突出用開口を覆い、膨張時のエアバッグに押されて開く扉部を有した扉配設壁部と、前記扉配設壁部の裏面側における前記扉部の周囲から延びて前記ケースの前記筒状壁部に連結される連結壁部と、を有する合成樹脂製のエアバッグカバーと、
を備えて、
前記ケースの前記筒状壁部と前記エアバッグカバーの前記連結壁部との連結構造が、前記筒状壁部の複数個所に設けられた係止フックを、前記エアバッグカバーにおける前記連結壁部に貫通するように設けられた連結孔に挿入させて、前記係止フックにより、前記連結壁部を係止する構造とし、
前記係止フックが、前記筒状壁部の外周側で、前記ベース壁部から離れた部位から前記ベース壁部に接近するようなフック形状とするとともに、前記エアバッグの膨張時に、前記連結壁部における前記扉部から離れる側の前記連結孔の内周側部位を、係止する構成としているエアバッグ装置であって、
前記ケースに対する前記エアバッグカバーの連結完了位置が、前記係止フックを前記連結孔に挿入させた位置とし、かつ、前記エアバッグの膨張時に前記係止フックによって前記連結孔の内周側部位を係止できる位置、として設定され、
前記ケースと前記エアバッグカバーとが、連結完了位置において、前記ベース壁部に対する前記扉配設壁部の接近方向への移動を規制する接近規制部と、前記ベース壁部に対する前記扉配設壁部の離隔方向への移動を規制する離隔規制部と、を備え、
前記接近規制部が、前記エアバッグカバーの前記接近方向への移動時に、相互に対向して当接する前記ケースと前記エアバッグカバーとの部位にそれぞれ配設されて、前記ケースと前記エアバッグカバーとの一方側に設けられた当接部の先端面と、他方側に設けられて前記当接部の先端面を当接させる受止座の受止面と、から構成され、
前記離隔規制部が、前記ケースの前記筒状壁部と前記エアバッグカバーの前記連結壁部との一方に設けられた係止孔と、他方に設けられ、前記係止孔に挿入されて、離隔方向への移動時に対向する前記係止孔の内周側部位を係止する係止突起と、から構成されていることを特徴とするエアバッグ装置。
【請求項２】
前記ケースの前記筒状壁部と前記エアバッグカバーの前記連結壁部とが、それぞれ、前記突出用開口の周囲において、直交方向の一方側の第１方向と直交方向の他方側の第２方向に沿って、相互に対向するように配設される２対の対向壁部を設けた略四角筒形状とし、
前記第１方向若しくは前記第２方向の一方に沿って、前記突出用開口を間にした両側の前記ケースと前記エアバッグカバーとの部位に、対応する前記接近規制部が、配設され、
前記第１方向若しくは前記第２方向の他方に沿い、かつ、前記突出用開口を間にした両側の前記ケースの前記筒状壁部と前記エアバッグカバーの前記連結壁部との前記対向壁部に、それぞれ、前記離隔規制部の対応する前記係止孔と前記係止突起とが、配設されていることを特徴とする請求項１に記載のエアバッグ装置。
【請求項３】
前記接近規制部の前記当接部が、前記エアバッグカバーの前記連結壁部における前記対向壁部の先端部から構成され、
前記接近規制部の前記受止座が、前記ケースに配設され、
前記連結壁部における先端部を前記当接部とした前記対向壁部が、連結完了位置への配置時、前記突出用開口の周囲で重なる前記ケースの前記筒状壁部における前記対向壁部の外側に、配設されることを特徴とする請求項２に記載のエアバッグ装置。
【請求項４】
前記離隔規制部の前記係止突起が、前記ケースの前記筒状壁部における前記対向壁部から外側に突出するように配設され、
前記離隔規制部の前記係止孔が、前記エアバッグカバーの前記連結壁部における前記対向壁部に配設されるとともに、
前記係止孔を配設させた前記連結壁部の前記対向壁部が、連結完了位置への配置時、前記係止突起を突出させた前記筒状壁部の前記対向壁部の外側に、配設されることを特徴とする請求項２若しくは請求項３に記載のエアバッグ装置。
【請求項５】
前記エアバッグカバーの略四角筒形状の前記連結壁部が、横断面を略長方形の環状として、略長方形の長辺側の部位における相互に対向する前記対向壁部に、前記係止孔が、配設され、
対応する前記ケースの前記筒状壁部における一対の前記対向壁部に、前記係止突起が、配設されていることを特徴とする請求項４に記載のエアバッグ装置。
【請求項６】
前記係止孔を配設させた前記エアバッグカバー側の相互に対向する前記対向壁部に、複数の前記連結孔が並設され、
前記係止突起を配設させた前記ケース側の相互に対向する前記対向壁部に、前記連結孔に挿入される前記係止フックが並設され、
前記係止孔が、前記連結孔間に配設される構成とし、
前記係止突起が、前記ケース側の前記対向壁部から突設される突出量を、前記係止フックの突出量より、小さく設定されていることを特徴とする請求項５に記載のエアバッグ装置。
【発明の詳細な説明】
【技術分野】
【０００１】
本発明は、車両に搭載されるエアバッグ装置に関し、詳しくは、折り畳んだエアバッグを収納するケースと、折り畳んだエアバッグを覆うとともに、膨張時のエアバッグに押されて開く扉部を有してケースに連結されるエアバッグカバーと、を備えたエアバッグ装置に関する。
【背景技術】
【０００２】
従来、例えば、膝保護用のエアバッグ装置では、折り畳まれたエアバッグを収納するケースが、金属製として、ベース壁部（底壁部）と、ベース壁部の外周縁からベース壁部の略直交方向に延びる略四角筒形状の筒状壁部と、を有して、筒状壁部により囲まれた開口を、膨張するエアバッグの突出用開口としていた。また、折り畳まれたエアバッグを覆うエアバッグカバーが、合成樹脂製として、ケースの突出用開口を覆い、かつ、膨張時のエアバッグに押されて開く扉部を有した扉配設壁部と、扉配設壁部の裏面側における扉部の周囲から延びてケースの筒状壁部に連結される略四角筒形状の連結壁部と、を備えて構成されていた（例えば、特許文献１参照）。このエアバッグ装置では、ケースの筒状壁部とエアバッグカバーの連結壁部との連結構造が、ケースにおける筒状壁部の複数個所に設けられた係止フックを、エアバッグカバーの連結壁部に貫通するように設けられた連結孔に挿入させて、係止フックにより、連結壁部を係止する構造としていた。係止フックは、筒状壁部の外周側で、ベース壁部から離れた部位からベース壁部に接近するようなフック形状とするとともに、エアバッグの膨張時に、連結壁部における扉部から離れる側の連結孔の内周側部位を、係止する構成としていた。
【０００３】
そして、ケースとエアカバーとを連結する際には、ケースの筒状壁部とエアバッグカバーの連結壁部とを重ねるようにしつつ、ケースのベース壁部とエアバッグカバーの扉配設壁部と接近させ、連結壁部の先端から連結孔の周縁までの内側面を、筒状壁部の係止フックに乗り上げさせ、そして、係止フックが連結孔の位置に配置されたならば、係止フックの先端側が連結孔に挿入されて、連結作業を完了させることができた。この連結完了位置では、係止フックが、直接、連結孔の内周側部位に当接するように係止されていなくとも、エアバッグの膨張時に、連結壁部における扉部から離れる側の連結孔の内周側部位に当接して、連結壁部を係止できる位置であればよい。
【先行技術文献】
【特許文献】
【０００４】
【特許文献１】特開２０１５−０６７１０３号公報
【発明の概要】
【発明が解決しようとする課題】
【０００５】
しかし、従来のエアバッグ装置では、連結孔の開口を大きくすれば、係止フックの連結壁部への連結作業（組付作業）が容易に行えるものの、連結後のエアバッグカバーのガタツキを防止できず、逆に、ガタツキを抑えるように、連結孔の開口を小さくすれば、連結壁部や筒状壁部を回転させつつ、係止フックの先端を連結孔に挿入し、そして、連結壁部や筒状壁部の傾いた姿勢を復元する等して、係止フックを連結孔の連結完了位置に配置する必要が生じて、係止フックの連結壁部への連結作業が行い難くなってしまい、改善の余地があった。
【０００６】
本発明は、上述の課題を解決するものであり、エアバッグカバーの連結孔にケースの係止フックを挿入させて連結する構造としても、簡便に、ガタツキを抑えて連結できるエアバッグ装置を提供することを目的とする。
【課題を解決するための手段】
【０００７】
本発明に係るエアバッグ装置では、折り畳まれたエアバッグを収納できるように、ベース壁部と該ベース壁部の外周縁から延びる筒状壁部と、を有して、前記筒状壁部により囲まれた開口を、膨張するエアバッグの突出用開口とする金属製のケースと、
前記突出用開口を覆い、膨張時のエアバッグに押されて開く扉部を有した扉配設壁部と、前記扉配設壁部の裏面側における前記扉部の周囲から延びて前記ケースの前記筒状壁部に連結される連結壁部と、を有する合成樹脂製のエアバッグカバーと、
を備えて、
前記ケースの前記筒状壁部と前記エアバッグカバーの前記連結壁部との連結構造が、前記筒状壁部の複数個所に設けられた係止フックを、前記エアバッグカバーにおける前記連結壁部に貫通するように設けられた連結孔に挿入させて、前記係止フックにより、前記連結壁部を係止する構造とし、
前記係止フックが、前記筒状壁部の外周側で、前記ベース壁部から離れた部位から前記ベース壁部に接近するようなフック形状とするとともに、前記エアバッグの膨張時に、前記連結壁部における前記扉部から離れる側の前記連結孔の内周側部位を、係止する構成としているエアバッグ装置であって、
前記ケースに対する前記エアバッグカバーの連結完了位置が、前記係止フックを前記連結孔に挿入させた位置とし、かつ、前記エアバッグの膨張時に前記係止フックによって前記連結孔の内周側部位を係止できる位置、として設定され、
前記ケースと前記エアバッグカバーとが、連結完了位置において、前記ベース壁部に対する前記扉配設壁部の接近方向への移動を規制する接近規制部と、前記ベース壁部に対する前記扉配設壁部の離隔方向への移動を規制する離隔規制部と、を備え、
前記接近規制部が、前記エアバッグカバーの前記接近方向への移動時に、相互に対向して当接する前記ケースと前記エアバッグカバーとの部位にそれぞれ配設されて、前記ケースと前記エアバッグカバーとの一方側に設けられた当接部の先端面と、他方側に設けられて前記当接部の先端面を当接させる受止座の受止面と、から構成され、
前記離隔規制部が、前記ケースの前記筒状壁部と前記エアバッグカバーの前記連結壁部との一方に設けられた係止孔と、他方に設けられ、前記係止孔に挿入されて、離隔方向への移動時に対向する前記係止孔の内周側部位を係止する係止突起と、から構成されていることを特徴とする。
【０００８】
本発明に係るエアバッグ装置では、ケースとエアバッグカバーとの連結時、ケースの筒状壁部とエアバッグカバーの連結壁部とを重ねつつ、ケースのベース壁部とエアバッグカバーの扉配設壁部とを接近させ、連結壁部の先端から連結孔の周縁までの内側面を、筒状壁部の係止フックに乗り上げさせ、そして、係止フックが連結孔の位置に配置されたならば、係止フックの先端側が連結孔に挿入されて、連結作業を完了させることができる。この連結完了位置では、接近規制部が、当接部の先端面を受止座の受止面に当接させることから、ケースに対するエアバッグカバーの接近方向への移動が規制される。また、離隔規制部が、係止突起を係止孔に挿入させて、離隔方向への移動時に対向する係止孔の内周側部位を係止突起が係止することから、ケースに対するエアバッグカバーの離隔方向への移動が規制される。すなわち、エアバッグカバーが連結完了位置に配置されれば、ケースに対するエアバッグカバーの接近方向の移動と離隔方向の移動とが規制されて、ガタツキ無く、ケースに対してエアバッグカバーが連結される。そして、このような連結作業は、係止フックを連結孔に挿入させるように、ケースの筒状壁部とエアバッグカバーの連結壁部とを重ね、ケースに対してエアバッグカバーを移動させて、単に、エアバッグカバーを連結完了位置に配置させるだけで、簡便に行える。
【０００９】
したがって、本発明に係るエアバッグ装置では、エアバッグカバーの連結孔にケースの係止フックを挿入させて連結する構造としても、簡便に、ガタツキを抑えて連結することができる。そしてさらに、エアバッグカバーが、エアバッグ装置の搭載部位の周辺部材と連結支持されていなくとも、エアバッグカバーの扉配設壁部が、ケースのベース壁部に対して、接近したり離隔せずに配設されることから、ケースが車体側に連結固定されていれば、別途、車体側に固定されている周辺部材に対して、出っ張ったり凹むように、配設されず、エアバッグ装置の搭載部位付近の外観低下を防止できる。
【００１０】
そして、本発明に係るエアバッグ装置では、前記ケースの前記筒状壁部と前記エアバッグカバーの前記連結壁部とが、それぞれ、前記突出用開口の周囲において、直交方向の一方側の第１方向と直交方向の他方側の第２方向に沿って、相互に対向するように配設される２対の対向壁部を設けた略四角筒形状とし、
前記第１方向若しくは前記第２方向の一方に沿って、前記突出用開口を間にした両側の前記ケースと前記エアバッグカバーとの部位に、対応する前記接近規制部が、配設され、
前記第１方向若しくは前記第２方向の他方に沿い、かつ、前記突出用開口を間にした両側の前記ケースの前記筒状壁部と前記エアバッグカバーの前記連結壁部との前記対向壁部に、それぞれ、前記離隔規制部の対応する前記係止孔と前記係止突起とが、配設されていることが望ましい。
【００１１】
このような構成では、ケースの突出用開口の周囲における相互に直交する第１方向と第２方向とに沿って、突出用開口の両側で、一対の接近規制部と一対の離隔規制部とが配設されることとなる。すなわち、突出用開口の周囲の四方における直交する方向の対向する部位に、一対ずつの接近規制部と離隔規制部とが配設されることから、連結完了位置に配置されたエアバッグカバーは、バランスよく、バラツキを抑制されて、ケースに対して連結されることとなる。
【００１２】
この場合、本発明に係るエアバッグ装置では、前記接近規制部の前記当接部が、前記エアバッグカバーの前記連結壁部における前記対向壁部の先端部から構成され、
前記接近規制部の前記受止座が、前記ケースに配設され、
前記連結壁部における先端部を前記当接部とした前記対向壁部が、連結完了位置への配置時、前記突出用開口の周囲で重なる前記ケースの前記筒状壁部における前記対向壁部の外側に、配設されることが望ましい。
【００１３】
このような構成では、エアバッグカバーを連結完了位置に配置させるように、ケースの筒状壁部とエアバッグカバーの連結壁部とを重ねつつ、ケースのベース壁部に対してエアバッグカバーの扉配設壁部を接近させて、エアバッグカバーの連結壁部における対向壁部の先端部からなる当接部の先端面を、ケース側の受止座の受止面に当接させる際、当接部を有した対向壁部が、重なるケース側の対向壁部の外側に配置された状態で、当接部を受止座に当接させることとなって、当接状態を目視し易く、接近規制部の連結作業の完了（当接完了）の確認を、容易に行うことができる。
【００１４】
そしてまた、本発明に係るエアバッグ装置では、前記離隔規制部の前記係止突起が、前記ケースの前記筒状壁部における前記対向壁部から外側に突出するように配設され、
前記離隔規制部の前記係止孔が、前記エアバッグカバーの前記連結壁部における前記対向壁部に配設されるとともに、
前記係止孔を配設させた前記連結壁部の前記対向壁部が、連結完了位置への配置時、前記係止突起を突出させた前記筒状壁部の前記対向壁部の外側に、配設されることが望ましい。
【００１５】
このような構成では、エアバッグカバーを連結完了位置に配置させるように、ケースの筒状壁部とエアバッグカバーの連結壁部とを重ねつつ、ケースのベース壁部に対してエアバッグカバーの扉配設壁部を接近させて、係止突起を係止孔に係止させる際、係止孔を設けたエアバッグカバーの対向壁部を、係止突起を設けたケースの対向壁部の外側に配置させた状態で、係止突起が係止孔に挿入されて係止孔の内周側部位を係止すると、係止突起の先端が、係止孔を設けたエアバッグカバーの対向壁部から突出する状態となって、目視し易く、離隔規制部の連結作業の完了の確認を、容易に行うことができる。
【００１６】
この場合、本発明に係るエアバッグ装置では、前記エアバッグカバーの略四角筒形状の前記連結壁部が、横断面を略長方形の環状として、略長方形の長辺側の部位における相互に対向する前記対向壁部に、前記係止孔が、配設され、
対応する前記ケースの前記筒状壁部における一対の前記対向壁部に、前記係止突起が、配設されていることが望ましい。
【００１７】
このような構成では、係止突起を係止孔に係止させる際、係止孔を設けたエアバッグカバーの対向壁部を、係止突起を設けたケースの対向壁部の外側に、被せるように配置させた状態で、エアバッグカバーの扉配設壁部をケースのベース壁部に接近させるように移動させることから、エアバッグカバーの連結壁部が、内周面（内側面）を係止突起の先端に押されて、膨らむこととなる。しかし、係止孔を設けた一対の対向壁部は、その直交方向で対向する一対の対向壁部に比べて、幅寸法を長くして、撓み易いことから、容易に、係止孔から係止突起を突出させるように、移動させることができて、離隔規制部の連結作業を、容易に行うことができる。
【００１８】
さらにこの場合、本発明に係るエアバッグ装置では、前記係止孔を配設させた前記エアバッグカバー側の相互に対向する前記対向壁部に、複数の前記連結孔が並設され、
前記係止突起を配設させた前記ケース側の相互に対向する前記対向壁部に、前記連結孔に挿入される前記係止フックが並設され、
前記係止孔が、前記連結孔間に配設される構成とし、
前記係止突起が、前記ケース側の前記対向壁部から突設される突出量を、前記係止フックの突出量より、小さく設定されていることが望ましい。
【００１９】
このような構成では、係止フックを連結孔に挿入させる際、連結孔を設けたエアバッグカバーの対向壁部を、係止フックを設けたケースの対向壁部の外側に、被せるように配置させた状態で、エアバッグカバーの扉配設壁部をケースのベース壁部に接近させるように移動させる。その際、係止突起より係止フックの突出量が大きく、かつ、連結孔の間に係止孔が配設されていることから、係止フックに押されて、エアバッグカバーの連結壁部における係止孔と連結孔とを設けた長さ寸法の長い対向壁部が、容易に、膨らむように撓み、そして、連結完了位置に配置されれば、係止フックが連結孔に挿入される。この連結完了位置への配置時には、離隔規制部の連結作業も完了されて、ケースの係止突起が、エアバッグカバーの係止孔に挿入されて、係止孔の内周側部位を係止することとなる。すなわち、係止突起よりも係止フックの突出量が大きく、かつ、連結孔の間に係止孔が配置されていることから、係止フックを連結孔に係止させる連結完了位置に配置させる際、撓んだエアバッグカバーの係止孔を有した対向壁部は、係止突起との接触を抑制された状態として、移動し、そして、連結完了位置に配置されれば、撓みが解消されるように復元され、自動的に、係止突起が係止孔に挿入されて所定の内周側部位を係止できることとなる。そのため、係止孔の内周側部位を係止できる係止面を有していれば、係止突起は、連結作業途中の連結壁部との摺動を考慮せずに済み、ケースの筒状壁部からの突出形状の自由度が大きく、プレス加工等の製造工程の容易な形状を採用することができる。
【図面の簡単な説明】
【００２０】
【図１】本発明に係る一実施形態の膝保護用のエアバッグ装置の車両搭載状態を示す概略縦断面図である。
【図２】実施形態のエアバッグ装置の概略底面図である。
【図３】実施形態のエアバッグ装置のエアバッグカバーとケースとの概略斜視図である。
【図４】実施形態のエアバッグ装置の概略断面図であり、図２のIV−IV部位に対応する。
【図５】実施形態のエアバッグ装置の概略断面図であり、図２のＶ−Ｖ部位に対応する。
【図６】実施形態のエアバッグ装置の概略断面図であり、図２のVI−VI部位に対応する。
【図７】実施形態のエアバッグ装置の概略断面図であり、図２のVII−VII部位に対応する。
【図８】実施形態のエアバッグ装置に使用されるエアバッグカバーの平面図である。
【図９】実施形態のエアバッグ装置に使用されるエアバッグカバーの正面図である。
【図１０】実施形態のエアバッグ装置に使用されるケースの底面図である。
【図１１】実施形態のエアバッグ装置に使用されるケースの正面図である。
【図１２】実施形態のエアバッグカバーの連結孔に、ケースの係止フックを挿入させる状態を説明する図である。
【図１３】実施形態のエアバッグカバーの係止孔に、ケースの係止突起を挿入させる状態を説明する図である。
【図１４】実施形態のエアバッグカバーの幅狭部を有した連結孔に、係止フックを挿入させる状態を示す正面図である。
【図１５】実施形態のエアバッグカバーの幅狭部を有した連結孔に、係止フックを挿入させる状態を示す断面図である。
【発明を実施するための形態】
【００２１】
以下、本発明の一実施形態を図面に基づいて説明すると、図１に示すように、実施形態のエアバッグ装置１０は、膝保護用のものであり、助手席の前方のインストルメントパネル（適宜、インパネと略す）６の下部側、詳しくは、インパネ６の下部側に配設されたグラブボックス７の下方に、搭載されている。グラブボックス７は、ボックス本体７ａと、ボックス本体７ａの後方を塞ぐドア部７ｂと、を備え、ドア部７ｂは、上縁側を後方に回転させるように開き可能として配設されている。さらに、グラブボックス７の下方には、アンダーカバー８が配設されて、アンダーカバー８の開口８ａに、エアバッグ装置１０における後述するエアバッグカバー４０の扉配設壁部４１を配設させて、エアバッグ装置１０が、助手席の前方の下方側に、搭載されている。
【００２２】
エアバッグ装置１０は、図１〜７に示すように、助手席に着座した乗員の膝を保護するエアバッグ１１と、エアバッグ１１に膨張用ガスを供給するインフレーター２７と、折り畳んだエアバッグ１１を収納して保持するケース１２と、折り畳んだエアバッグ１１を覆ってケース１２に保持されるエアバッグカバー４０と、を備えて構成されている。
【００２３】
なお、本明細書での前後、上下、及び、左右の各方向は、車両搭載状態の方向に略対応するもので、図２〜１１に示すように、ケース１２の略長方形形状のベース壁部１３における長尺方向を左右の方向とし、短尺方向を前後の方向として、ベース壁部１３の直交方向を上下の方向として、説明する。
【００２４】
エアバッグ１１は、図１の二点鎖線に示すように、膨張時、エアバッグカバー４０の後述する扉部４２（Ｆ，Ｂ）を押し開いてケース１２から後上方向に突出し、乗員の左右の膝の前方で、アンダーカバー８やドア部７ｂ、さらには、インパネ６におけるドア部７ｂの左右両側の部位に沿うような略長方形板状に膨張する。膨張完了時のエアバッグ１１は、ケース１２から下方に突出する下部１１ｂと、下部１１ｂから上方へ反転する反転部１１ｃと、乗員の膝の前方側に配設される上部１１ａと、を備える。エアバッグ１１は、内部に収納したインフレーター２７のリテーナ３３を利用して、ケース１２に保持される。すなわち、膨張完了時の下部１１ｂ側が、収納したインフレーター２７のリテーナ３３を利用して、ケース１２に取り付けられている。なお、エアバッグ１１の内部には、車体側と乗員側とのエアバッグ用基布相互を連結する複数のテザー（図符号省略）が配設されて、エアバッグ１１の膨張形状を、反転部１１ｃを有した断面Ｊ字形とするように構成されている。
【００２５】
インフレーター２７は、略円柱状の本体２８とリテーナ３３とを備えて構成され、本体２８は、左端側に小径の円柱状のガス吐出部２９を配設させている。インフレーター２７の本体２８には、右端側に、作動信号を入力させるためのワイヤハーネス３１のコネクタ（接栓）３１ａを結合させるコネクタ（接栓座）２８ａを配設させている（図４参照）。
【００２６】
リテーナ３３は、板金製として、インフレーター２７の本体２８の外周面を保持する略円環状（略円筒状）の環状部３３ａと、環状部３３ａから突出するボルト３３ｃと、を備えて構成されている。ボルト３３ｃは、車両の左右方向に沿って２本配設されており、それぞれ、エアバッグ１１とケース１２の後述するベース壁部１３とを貫通して、ナット３５を締結することにより、エアバッグ１１とともに、インフレーター２７の本体２８をケース１２のベース壁部１３に取り付けている。環状部３３ａには、ケース１２のベース壁部１３の支持突起１３ｂを挿通させる挿通孔３３ｂが、開口されている。
【００２７】
ケース１２は、図２〜４，１０，１１に示すように、板金製の略直方体形状として、長方形板状のベース壁部（底壁部）１３と、ベース壁部１３の外周縁からベース壁部１３と略直交方向とした下方側に延びる略四角筒形状の筒状壁部１４と、を備えて構成されている。筒状壁部１４に囲まれた開口は、膨張するエアバッグ１１の突出用開口１２ａとしている。
【００２８】
ベース壁部１３は、リテーナ３３の各ボルト３３ｃを貫通させる取付孔１３ａが、左右方向の中央付近と右縁付近とに配設され、二つの取付孔１３ａ間には、リテーナ３３の挿通孔３３ｂを経て、インフレーター２７の本体２８の外周面に当接される支持突起１３ｂが配設されている。また、ベース壁部１３の右縁付近には、インフレーター２７の本体２８に接続されるワイヤハーネス３１のコネクタ３１ａを、大きく回転させずに（インフレーター２７の本体２８の中心軸を基準に９０°程度の回転を許容して）収納できるスペース、を確保するために、台形形状の延設部１３ｃが突設されている。
【００２９】
略四角筒形状の筒状壁部１４は、相互に直交方向となる第１方向ＤＶ１としての前後方向と第２方向ＤＶ２としての左右方向とのそれぞれの方向において、それぞれ対向する対向壁部１５（Ｆ，Ｂ）、１６（Ｌ，Ｒ）を備えて構成されている。対向壁部１５Ｆ，１５Ｂは、第１方向ＤＶ１としての前後方向で対向する壁部であり、対向壁部１６Ｌ，１６Ｒは、第２方向ＤＶ２としての左右方向で対向する壁部である。
【００３０】
実施形態では、前後方向で対向する対向壁部１５Ｆ，１５Ｂに、エアバッグカバー４０を連結する複数の係止フック２０が配設されている（図３，５参照）。係止フック２０は、筒状壁部１４の外周側で、すなわち、筒状壁部１４の対向壁部１５Ｆの前方側、あるいは、筒状壁部１４の対向壁部１５Ｂの後方側で、それぞれ、ベース壁部１３から離れた先端１５ａの僅かにベース壁部１３側にずれた部位１５ｃからベース壁部１３に接近するようなフック形状としている。係止フック２０は、対向壁部１５（Ｆ，Ｂ）にそれぞれ４個ずつ左右方向に沿って並設されている。そして、各係止フック２０は、それぞれ、対向壁部１５（Ｆ，Ｂ）から外側に突出する突出杆部２０ａと、突出杆部２０ａの先端からベース壁部１３側に屈曲する爪部２０ｂと、を備えて構成され、エアバッグ１１の膨張時、突出杆部２０ａが、エアバッグカバー４０の後述する連結孔４９，５２の内周側部位としての内周面４９ａ，５２ａの係止面５０，５５に当接され、爪部２０ｂが、連結孔４９，５２の係止面５０，５５の近傍の外表面側の周縁５１，５６に当接して、係止フック２０の連結孔４９，５２からの抜け止めを図ることとなる。
【００３１】
なお、各係止フック２０は、実施形態の場合、対向壁部１５の板金素材から、プレス加工により打ち抜かれ、かつ、曲げ加工されて、形成されている。
【００３２】
また、ケース１２にエアバッグカバー４０を連結させるように、各係止フック２０を連結孔４９，５２に挿入させて、係止フック２０がエアバッグカバー４０の連結壁部４５（対向壁部４６Ｆ，４６Ｂ）を係止可能に配置させて、連結する際には、その連結完了位置ＣＣＰは、図５，１５のｃに示すように、エアバッグ１１の膨張時におけるエアバッグ１１に扉配設壁部４１が押されて、連結壁部４５が下方へ移動する際、係止フック２０の突出杆部２０ａが、エアバッグカバー４０の後述する連結孔４９，５２の内周側部位としての内周面４９ａ，５２ａの係止面５０，５５に当接されて、係止面５０，５５を係止できる位置であって、突出杆部２０ａが、連結孔４９，５２を貫通し、かつ、爪部２０ｂが、連結壁部４５の外側面４６ｂ側に配置された状態で、突出杆部２０ａと係止面５０，５５との間に隙間ｈが生じている配置位置である。
【００３３】
さらにまた、対向壁部１５Ｆ，１５Ｂは、先端１５ａに、外側に向かって厚肉となるように、板金素材を外側に折り返されてなる張出部１５ｂが、配設されている。これらの張出部１５ｂは、ケース１２とエアバッグカバー４０との連結完了位置ＣＣＰへの配置時、エアバッグカバー４０の連結壁部４５（対向壁部４６Ｆ，４６Ｂ）の内側面４６ａに当接することとなる。
【００３４】
第２方向ＤＶ２としての左右方向に沿って対向する対向壁部１６Ｒ，１６Ｌの内の右方側の対向壁部１６Ｒは、ベース壁部１３の延設部１３ｃの外周縁に対応して、ワイヤハーネス３１のコネクタ３１ａを収納できるスペースを確保できるように、折曲された収納凹部１７が、形成されている。また、収納凹部１７における対向壁部１５Ｂの近傍の縁には、ワイヤハーネス３１を嵌め込んで係止できる係止凹部１８が、形成されている（図３参照）。
【００３５】
また、ケース１２には、ベース壁部１３から延びて、エアバッグ装置１０を車両のボディ（車体）１側に取り付けるため取付ブラケット２２，２４が配設されている（図２，３，５参照）。取付ブラケット２２，２４は、ボディ１側から延びるブラケット２，３に取付固定できるように、ナット４に締結されるボルト５を貫通させる取付孔２２ａ，２４ａを備えている。また、取付ブラケット２２，２４は、第２方向ＤＶ２としての左右方向で対向する対向壁部１６Ｌ，１６Ｒから、第２方向ＤＶ２に沿って張り出すように、ベース壁部１３から延設された平面状の平面部２２ｂ，２４ｂを配設させている（図４，１０参照）。
【００３６】
さらに、ワイヤハーネス３１の近傍の取付ブラケット２４には、ワイヤハーネス３１を嵌め込んで係止できる係止凹部２５が、形成されている（図１１参照）。
【００３７】
エアバッグカバー４０は、図２〜９に示すように、ポリオレフィン系熱可塑性エラストマー等の合成樹脂製として、ケース１２の突出用開口１２ａを覆う左右方向に長い略長方形板状の扉配設壁部４１と、扉配設壁部４１の裏面側（上面側）から延びてケース１２に連結される略四角筒形状の連結壁部４５と、を備えて構成されている。
【００３８】
扉配設壁部４１は、ケース１２に収納されたエアバッグ１１の膨張時に、エアバッグ１１に押されて前後に開く扉部４２（Ｆ，Ｂ）を備えている。扉部４２Ｆ，４２Ｂは、それぞれ、相互に離れた前後の縁に、開き時の回転中心となるインテグラルヒンジからなる薄肉のヒンジ部４２ａを配設させている。扉部４２Ｆ，４２Ｂの周囲におけるヒンジ部４２ａの部位を除く部位には、膨張時のエアバッグ１１に押されて破断する薄肉の破断予定部４３が形成されている。破断予定部４３は、扉配設壁部４１の平面視において、Ｈ字形状に配設されている。
【００３９】
連結壁部４５は、扉部４２Ｆ，４２Ｂの周囲を囲うように、略四角筒形状として、第１方向ＤＶ１としての前後方向と第２方向ＤＶ２としての左右方向とのそれぞれの方向において、それぞれ対向する対向壁部４６（Ｆ，Ｂ）、４７（Ｌ，Ｒ）を備えて構成されている。実施形態の連結壁部４５は、対向壁部４６の左右方向の長さ寸法（幅寸法）ＬＬを、対向壁部４７の前後方向の長さ寸法（幅寸法）ＬＶより、長くした略長方形の筒状としている（図８参照）。
【００４０】
第１方向ＤＶ１としての前後方向で対向する対向壁部４６Ｆ，４６Ｂには、係止フック２０を挿入させて、筒状壁部１４（対向壁部１５Ｆ，１５Ｂ）に連結される連結孔４９，５２が、左右方向に並設されている。連結孔４９は、対向壁部４６Ｆ，４６Ｂに、それぞれ、３個形成されて、連結孔５２は、対向壁部４６Ｆ，４６Ｂの右縁側に、１個ずつ配設されている（図２，３，９参照）。
【００４１】
連結孔４９は、略長方形状の開口として、左右方向の幅寸法ＨＷ１を、係止フック２０の左右方向の幅寸法ＦＷ１より、大きくし、かつ、上下方向の幅寸法ＨＬ１を、係止フック２０の上下方向の幅寸法ＦＬ１より、大きくしている（図２，５，９，１０参照）。
【００４２】
連結孔５２は、扉配設壁部４１から離れた上部側の幅広部５３と、扉配設壁部４１に接近した下部側の幅狭部５４と、を備えて、左右方向の幅寸法ＨＷ２，ＨＷ３を異ならせている。幅広部５３の幅寸法ＨＷ２は、連結孔４９の左右方向の幅寸法ＨＷ１と同等とし、幅狭部５４の幅寸法ＨＷ３は、係止フック２０の左右方向の幅寸法ＦＷ１と同等としている。連結孔５２の上下方向の幅寸法ＨＬ２は、連結孔４９の上下方向の幅寸法ＨＬ１と同等としている。
【００４３】
これらの連結孔４９，５２は、エアバッグ１１の膨張時に、内周側部位としての内周面４９ａ，５２ａにおける扉配設壁部４１から離れた部位が、係止フック２０の突出杆部２０ａに当接して係止される係止面５０，５５となり、係止フック２０の爪部２０ｂが、対向壁部４６Ｆ，４６Ｂの外側面４６ｂにおける係止面５０，５５の近傍の周縁５１，５６に当たって、係止フック２０の連結孔４９，５２からの外れが防止され、膨張するエアバッグ１１に押される扉部４２Ｆ，４２Ｂが、周囲の破断予定部４３を円滑に破断させて、押し開かれ、エアバッグ１１がケース１２の突出用開口１２ａから突出することとなる。
【００４４】
対向壁部４６Ｆ，４６Ｂの外側面４６ｂの連結孔４９，５２の周縁には、エアバッグカバー４０の連結完了位置ＣＣＰへの配置時、係止フック２０の爪部２０ｂ付近が、乗員の指等と接触しないように、周囲から隆起したリブ６０，６１，６２が突設されている。リブ６０は、左縁側の連結孔４９の上縁側と左右両縁側を囲うように配設され、リブ６２は、右縁側の連結孔５２の上縁側と左右両縁側を囲うように配設され、リブ６１は、左右方向の中央側の２個の連結孔４９におけるそれぞれの上縁側と左右両縁側を囲うように配設されている。
【００４５】
また、実施形態のエアバッグ装置１０では、ケース１２に対するエアバッグカバー４０の連結完了位置ＣＣＰへの配置時には、すなわち、係止フック２０を連結孔４９，５２に挿入させた位置への配置位置とし、かつ、エアバッグ１１の膨張時に係止フック２０の連結孔４９，５２の内周面４９ａ，５２ａを係止できる位置への配置時には、ケース１２のベース壁部１３に対するエアバッグカバー４０の扉配設壁部４１における接近方向ＣＤへの移動と離隔方向ＲＤへの移動とが、接近規制部７０（Ｌ，Ｒ）と離隔規制部７５（Ｆ，Ｂ）とにより、規制されている（図４，７参照）。
【００４６】
離隔規制部７５（Ｆ，Ｂ）は、ケース１２のベース壁部１３に対するエアバッグカバー４０の扉配設壁部４１の離隔方向ＲＤへの移動を規制するもので、ケース１２の筒状壁部１４とエアバッグカバー４０の連結壁部４５との一方に設けられた係止孔７６と、他方に設けられ、係止孔７６に挿入されて、離隔方向ＲＤへの移動時に対向する係止孔７６の内周側部位としての内周面７６ａの係止面７７を係止する係止突起７８と、から構成されている（図３，７参照）。
【００４７】
実施形態の場合、係止孔７６は、エアバッグカバー４０側の連結壁部４５に設けられ、係止突起７８は、ケース１２側の筒状壁部１４に設けられている。詳しくは、係止孔７６（Ｆ，Ｂ）は、連結壁部４５における第１方向ＤＶ１の前後方向に沿う方向で対向する対向壁部４６Ｆ，４６Ｂに、それぞれ、設けられて、さらに、これらの係止孔７６Ｆ，７６Ｂは、前後方向で対向する対向壁部４６Ｆ，４６Ｂにおける左右方向の中央付近における連結孔４９，４９の間に、それぞれ、略長方形の開口として、配設されている。係止突起７８（Ｆ，Ｂ）は、筒状壁部１４における第１方向ＤＶ１の前後方向に沿う方向で対向する対向壁部１５Ｆ，１５Ｂに設けられて、対向壁部１５Ｆ，１５Ｂから直交方向の外側に突出する長方形板状としている。各係止突起７８Ｆ，７８Ｂは、それぞれ、対向壁部１５Ｆ，１５Ｂから突出した上面側を、係止孔７６Ｆ，７６Ｂの係止面７７と当接する係止面７９としている。
【００４８】
これらの係止突起７８Ｆ，７８Ｂは、ケース１２側の対向壁部１５Ｆ，１５Ｂから突設される突出量ＰＰを、係止フック２０の突出量ＰＦより、小さく設定されている。
【００４９】
接近規制部７０（Ｌ，Ｒ）は、ケース１２のベース壁部１３に対するエアバッグカバー４０の扉配設壁部４１の接近方向ＣＤへの移動を規制するもので、相互に対向して当接するケース１２とエアバッグカバー４０とにそれぞれ配設されて、ケース１２とエアバッグカバー４０との一方側に設けられた当接部７１（Ｌ，Ｒ）の先端面７１ａと、他方側に設けられて当接部７１（Ｌ，Ｒ）の先端面７１ａを当接させる受止座７２（Ｌ，Ｒ）の受止面７２ａと、から構成されている。
【００５０】
実施形態の場合、当接部７１（Ｌ，Ｒ）は、エアバッグカバー４０側に設けられ、受止座７２（Ｌ，Ｒ）は、ケース１２側に設けられている。詳しくは、当接部７１Ｌ，７１Ｒは、エアバッグカバー４０の連結壁部４５における第２方向ＤＶ２の左右方向で対向する対向壁部４７Ｌ，４７Ｒの先端部４７ａから構成され、受止座７２Ｌ，７２Ｒは、ケース１２における第２方向ＤＶ２の左右方向で対向する対向壁部１６Ｌ，１６Ｒ近傍に配設されている。実施形態の受止座７２Ｌ，７２Ｒは、対向壁部１６Ｌ，１６Ｒから左右方向の外側に配置された取付ブラケット２２，２４の平面部２２ｂ，２４ｂから構成されている。
【００５１】
実施形態のエアバッグ装置１０の組立作業を説明すると、まず、エアバッグ１１の内部にリテーナ３３を挿入させて、各ボルト３３ｃをエアバッグ１１外に突出させた状態で、エアバッグ１１を折り畳み、折り崩れしないように、破断可能なラッピング材で包む。その後、エアバッグ１１やラッピング材に設けた所定の開口から、エアバッグ１１内のリテーナ３３内に、ワイヤハーネス３１を結合ささせたインフレーター２７の本体２８を挿入して、各ボルト３３ｃを取付孔１３ａから突出させつつ、折り畳んだエアバッグ１１をケース１２の筒状壁部１４内に収納する。ついで、ワイヤハーネス３１をケース１２や取付ブラケット２４の係止凹部１８，２５に嵌めて、ケース１２に対して、エアバッグカバー４０を連結させる。
【００５２】
この連結作業は、第１方向ＤＶ１における前後方向に沿って対向する対向壁部１５，４６相互と、第２方向ＤＶ２としての左右方向に沿って対向する対向壁部１６，４７相互とを重ねるように、ケース１２の筒状壁部１４の外周側に、エアバッグカバー４０の連結壁部４５を重ねて、ベース壁部１３に扉配設壁部４１を接近させるように、エアバッグカバー４０をケース１２側に押し込んで行う。その際、図１２，１３，１５に示すように、エアバッグカバー４０の対向壁部４６Ｆ，４６Ｂが、先端部４６ｃを、係止フック２０の突出杆部２０ａと爪部２０ｂとの曲面状の交差部２０ｃに当接させて、拡開される状態となる。そして、係止フック２０が、対向壁部４６Ｆ，４６Ｂの内側面４６ａを摺動しつつ、連結孔４９，５２の周縁に到達し、連結孔４９，５２に挿入されて、突出杆部２０ａが連結孔４９，５２を貫通し、爪部２０ｂが外側面４６ｂに突出すれば、ケース１２に対してエアバッグカバー４０を連結させることができる。
【００５３】
そして、エアバッグカバー４０が、ケース１２に対する連結完了位置ＣＣＰに配置されたならば、接近規制部７０Ｌ，７０Ｒの当接部７１Ｌ，７０Ｒの先端面７１ａが、受止座７２Ｌ，７２Ｒの受止面７２ａに当接されて、エアバッグカバー４０の扉配設壁部４１が、ケース１２のベース壁部１３に対して、それ以上、接近する接近方向ＣＤの移動が規制される。と同時に、離隔規制部７５Ｆ，７５Ｂの係止孔７６Ｆ，７６Ｂに係止突起７８Ｆ，７８Ｂが挿入されて、エアバッグカバー４０の扉配設壁部４１が、ケース１２のベース壁部１３から離れようとしても、係止孔７６Ｆ，７６Ｂの内周面７６ａの係止面７７が、係止突起７８Ｆ，７８Ｂの係止面７９に当接して、エアバッグカバー４０の扉配設壁部４１が、ケース１２のベース壁部１３に対して、それ以上、離隔する離隔方向ＲＤの移動が規制される。
【００５４】
このようにエアバッグカバー４０をケース１２に連結させたエアバッグ装置１０は、取付ブラケット２２，２４をボディ１側のブラケット２，３に、ボルト５とナット４を使用して、取付固定し、ワイヤハーネス３１を所定のエアバッグ作動回路に接続させれば、車両における助手席前方の所定位置に搭載することができる。
【００５５】
エアバッグ装置１０の車両搭載後、インフレーター２７が作動されて、エアバッグ１１内に膨張用ガスが供給されれば、エアバッグ１１は、膨張して、エアバッグカバー４０の扉部４２Ｆ，４２Ｂを押し開いて、図１の二点鎖線に示すように、展開膨張を完了させる。なお、このエアバッグ１１の膨張時、エアバッグカバー４０がケース１２のベース壁部１３から離れる離隔方向ＲＤに移動し、係止突起７８Ｆ，７８Ｂが係止孔７６Ｆ，７６Ｆから外れたり、係止突起７８Ｆ，７８Ｂを係止した係止孔７６Ｆ，７６Ｆが開口を広げたりするものの、係止フック２０が、連結孔４９，５２から外れずに、連結壁部４５を係止することから、エアバッグカバー４０は、エアバッグ１１に押された扉部４２Ｆ，４２Ｂの周囲における破断予定部４３を円滑に破断させて、扉部４２Ｆ，４２Ｂを開かせた開口から、エアバッグ１１を突出させることができる。
【００５６】
そして、実施形態のエアバッグ装置１０では、ケース１２とエアバッグカバー４０との連結時、ケース１２の筒状壁部１４とエアバッグカバー４０の連結壁部４５とを重ねつつ、ケース１２のベース壁部１３とエアバッグカバー４０の扉配設壁部４１と接近させ、連結壁部４５の先端部４６ｃから連結孔４９，５２の周縁までの内側面４６ａを、筒状壁部１４の係止フック２０に乗り上げさせ、そして、係止フック２０が連結孔４９，５２の位置に配置されたならば、係止フック２０の先端の爪部２０ｂ側が連結孔４９，５２に挿入されて、連結作業を完了させることができる。この連結完了位置ＣＣＰでは、接近規制部７０（Ｌ，Ｒ）が、当接部７１（Ｌ，Ｒ）の先端面７１ａを受止座７２（Ｌ，Ｒ）の受止面７２ａに当接させることから、ケース１２に対するエアバッグカバー４０の接近方向ＣＤへの移動が規制される。また、離隔規制部７５（Ｆ，Ｂ）が、係止突起７８（Ｆ，Ｂ）を係止孔７６（Ｆ，Ｂ）に挿入させて、離隔方向ＲＤへの移動時に対向する係止孔７６（Ｆ，Ｂ）の内周側部位としての内周面７６ａの係止面７７を係止突起７８（Ｆ，Ｂ）が係止することから、ケース１２に対するエアバッグカバー４０の離隔方向ＲＤへの移動が規制される。すなわち、エアバッグカバー４０が連結完了位置ＣＣＰに配置されれば、ケース１２に対するエアバッグカバー４０の接近方向ＣＤの移動と離隔方向ＲＤの移動とが規制されて、ガタツキ無く、ケース１２に対してエアバッグカバー４０が連結される。そして、このような連結作業は、係止フック２０を連結孔４９，５２に挿入させるように、ケース１２の筒状壁部１４とエアバッグカバー４０の連結壁部４５とを重ね、ケース１２に対してエアバッグカバー４０を移動させて、単に、エアバッグカバー４０を連結完了位置ＣＣＰに配置させるだけで、簡便に行える。
【００５７】
したがって、実施形態のエアバッグ装置１０では、エアバッグカバー４０の連結孔４９，５２にケース１２の係止フック２０を挿入させて連結する構造としても、簡便に、ガタツキを抑えて連結することができる。
【００５８】
さらに、実施形態のエアバッグ装置１０では、エアバッグカバー４０が、エアバッグ装置１０の搭載部位の周辺部材であるアンダーカバー８等と連結支持されていなくとも、エアバッグカバー４０の扉配設壁部４１が、ケース１２のベース壁部１３に対して、接近したり離隔したりせずに、配設されることから、ケース１２がボディ１側に連結固定されていれば、別途、ボディ１側に固定されている周辺部材であるアンダーカバー８の開口８ａの周縁８ｂに対して、出っ張ったり凹むように、配設されず、エアバッグ装置１０の搭載部位付近の外観低下を防止でき、勿論、ガタツキによる異音の発生も防止できる。
【００５９】
そして、実施形態のエアバッグ装置１０では、ケース１２の筒状壁部１４とエアバッグカバー４０の連結壁部４５とが、それぞれ、突出用開口１２ａの周囲において、直交方向の一方側の第１方向ＤＶ１と直交方向の他方側の第２方向ＤＶ２に沿って、相互に対向するように配設される２対の対向壁部１５（Ｆ，Ｂ）、４６（Ｆ，Ｂ）と対向壁部１６（Ｌ，Ｒ）、４７（Ｌ，Ｒ）を設けた略四角筒形状とし、第１方向ＤＶ１若しくは第２方向ＤＶ２の一方に沿って（実施形態では第２方向ＤＶ２の左右方向に沿って）、突出用開口１２ａを間にした両側のケース１２とエアバッグカバー４０との部位に、対応する接近規制部７０（Ｌ．Ｒ）が、配設され、第１方向ＤＶ１若しくは第２方向ＤＶ２の他方に沿い（実施形態では第１方向ＤＶ１の前後方向に沿って）、かつ、突出用開口１２ａを間にした両側のケース１２の筒状壁部１４とエアバッグカバー４０の連結壁部４５との対向壁部１５（Ｆ，Ｂ）、４６（Ｆ，Ｂ）に、それぞれ、離隔規制部７５（Ｆ，Ｂ）の対応する係止孔７６（Ｆ，Ｂ）と係止突起７８（Ｆ，Ｂ）とが、配設されている。
【００６０】
そのため、実施形態では、ケース１２の突出用開口１２ａの周囲における相互に直交する第１方向ＤＶ１と第２方向ＤＶ２とに沿って、突出用開口１２ａの両側で、一対の接近規制部７０（Ｌ，Ｒ）と一対の離隔規制部７５（Ｆ，Ｂ）とが配設されることとなる。すなわち、突出用開口１２ａの周囲における左右方向の両側と前後方向の両側との四方における直交する方向の対向する部位に、一対ずつの接近規制部７０（Ｌ，Ｒ）と離隔規制部７５（Ｆ，Ｂ）とが配設されることから、連結完了位置ＣＣＰに配置されたエアバッグカバー４０は、バランスよく、バラツキを抑制されて、ケース１２に対して連結されることとなる。
【００６１】
なお、実施形態では、第１方向ＤＶ１の前後方向に沿って、離隔規制部７５（Ｆ，Ｂ）を設け、第２方向ＤＶ２の左右方向に沿って、接近規制部７０（Ｌ，Ｒ）を設けた場合を示したが、第１方向ＤＶ１に沿った両側に、接近規制部を設け、第２方向ＤＶ２に沿った両側に、離隔規制部を設けてもよい。
【００６２】
そしてさらに、実施形態のエアバッグ装置１０では、接近規制部７０（Ｌ，Ｒ）の当接部７１（Ｌ，Ｒ）が、エアバッグカバー４０の連結壁部４５における対向壁部４７Ｌ，４７Ｒの先端部４７ａから構成され、接近規制部７０（Ｌ，Ｒ）の受止座７２Ｌ，７２Ｒが、ケース１２（取付ブラケット２２，２４の平面部２２ｂ，２４ｂ）に配設され、連結壁部４５における先端部４７ａを当接部７１（Ｌ，Ｒ）とした対向壁部４７（Ｌ，Ｒ）が、連結完了位置ＣＣＰへの配置時、突出用開口１２ａの周囲で重なるケース１２の筒状壁部１４における対向壁部１６（Ｌ，Ｒ）の外側に、配設されている。
【００６３】
そのため、実施形態では、エアバッグカバー４０を連結完了位置ＣＣＰに配置させるように、ケース１２の筒状壁部１４とエアバッグカバー４０の連結壁部４５とを重ねつつ、ケース１２のベース壁部１３に対してエアバッグカバー４０の扉配設壁部４１を接近させて、エアバッグカバー４０の連結壁部４５における対向壁部４７Ｌ，４７Ｒの先端部４７ａからなる当接部７１Ｌ，７１Ｒの先端面７１ａを、ケース１２側の受止座７２Ｌ，７２Ｒの受止面７２ａに当接させる際、当接部７１（Ｌ，Ｒ）を有した対向壁部４７Ｌ，４７Ｒが、重なるケース１２側の対向壁部１６Ｌ，１６Ｒの外側に配置された状態で、当接部７１（Ｌ，Ｒ）を受止座７２（Ｌ，Ｒ）に当接させることとなって、当接状態を目視し易く、接近規制部７０（Ｌ，Ｒ）の連結作業の完了（当接完了）の確認を、容易に行うことができる。
【００６４】
なお、上記の点を考慮しなければ、接近規制部の当接部を、例えば、ケース１２の筒状壁部１４の対向壁部１６（Ｌ，Ｒ）の先端部とし、エアバッグカバー４０の扉配設壁部４１に、接近規制部の受止座を設けてよい。
【００６５】
そしてまた、実施形態のエアバッグ装置１０では、離隔規制部７５（Ｆ，Ｂ）の係止突起７８（Ｆ，Ｂ）が、ケース１２の筒状壁部１４における対向壁部１５（Ｆ，Ｂ）から外側に突出するように配設され、離隔規制部７５（Ｆ，Ｂ）の係止孔７６（Ｆ，Ｂ）が、エアバッグカバー４０の連結壁部４５における対向壁部４６（Ｆ，Ｂ）に配設されるとともに、係止孔７６（Ｆ，Ｂ）を配設させた連結壁部４５の対向壁部４６（Ｆ，Ｂ）が、連結完了位置ＣＣＰへの配置時、係止突起７８（Ｆ，Ｂ）を突出させた筒状壁部１４の対向壁部１５（Ｆ，Ｂ）の外側に、配設されている。
【００６６】
そのため、実施形態では、エアバッグカバー４０を連結完了位置ＣＣＰに配置させるように、ケース１２の筒状壁部１４とエアバッグカバー４０の連結壁部４５とを重ねつつ、ケース１２のベース壁部１３に対してエアバッグカバー４０の扉配設壁部４１を接近させて、係止突起７８（Ｆ，Ｂ）を係止孔７６（Ｆ，Ｂ）に係止させる際、係止孔７６（Ｆ，Ｂ）を設けたエアバッグカバー４０の対向壁部４６（Ｆ，Ｂ）を、係止突起７８（Ｆ，Ｂ）を設けたケース１２の対向壁部１５（Ｆ，Ｂ）の外側に配置させた状態で、係止突起７８（Ｆ，Ｂ）が係止孔７６（Ｆ，Ｂ）に挿入されて係止孔７６（Ｆ，Ｂ）の内周側部位としての内周面７６ａの係止面７７を係止すると、係止突起７８（Ｆ，Ｂ）の先端が、係止孔７６（Ｆ，Ｂ）を設けたエアバッグカバー４０の対向壁部４６（Ｆ，Ｂ）から突出する状態となって、目視し易く、離隔規制部７５（Ｆ，Ｂ）の連結作業の完了の確認を、容易に行うことができる。
【００６７】
なお、この点を考慮しなければ、離隔規制部の係止突起をエアバッグカバー４０の連結壁部４５側に設け、離隔規制部の係止孔をケース１２の筒状壁部１４側に設けてよい。
【００６８】
そしてさらに、実施形態のエアバッグ装置１０では、エアバッグカバー４０の略四角筒形状の連結壁部４５が、横断面を略長方形の環状として、略長方形の長辺側の部位における相互に対向する対向壁部４６Ｆ，４６Ｂに、係止孔７６（Ｆ，Ｂ）が、配設され、対応するケース１２の筒状壁部１４における一対の対向壁部１５Ｆ，１５Ｂに、係止突起７８（Ｆ，Ｂ）が、配設されている。
【００６９】
そのため、実施形態では、係止突起７８（Ｆ，Ｂ）を係止孔７６（Ｆ，Ｂ）に係止させる際、係止孔７６Ｆ，７６Ｂを設けたエアバッグカバー４０の対向壁部４６Ｆ，４６Ｂを、係止突起７８Ｆ，７８Ｂを設けたケース１２の対向壁部１５Ｆ，１５Ｂの外側に、被せるように配置させた状態で、エアバッグカバー４０の扉配設壁部４１をケース１２のベース壁部１３に接近させるように移動させることから、エアバッグカバー４０の連結壁部４５が、内周面（内側面）４６ａを係止突起７８（Ｆ，Ｂ）の先端（実施形態では、突出量ＰＦの大きな係止フック２０の先端）に押されて、膨らむこととなる。しかし、係止孔７６（Ｆ，Ｂ）を設けた一対の対向壁部４６（Ｆ，Ｂ）は、その直交方向で対向する一対の対向壁部４７（Ｌ，Ｒ）の幅寸法（長さ寸法）ＬＶに比べて、幅寸法（長さ寸法）ＬＬを長くして、撓み易いことから、容易に、係止孔７６（Ｆ，Ｂ）から係止突起７８（Ｆ，Ｂ）を突出させるように、移動させることができて、離隔規制部７５（Ｆ，Ｂ）の連結作業を、容易に行うことができる。
【００７０】
勿論、上記の点を考慮しなければ、対向壁部１６（Ｌ，Ｒ）、４７（Ｌ，Ｒ）に離隔規制部を配設してもよい。
【００７１】
さらに、実施形態のエアバッグ装置１０では、係止孔７６（Ｆ，Ｂ）を配設させたエアバッグカバー４０側の相互に対向する対向壁部４６（Ｆ，Ｂ）に、複数の連結孔４９，５２が並設され、係止突起７８（Ｆ，Ｂ）を配設させたケース１２側の相互に対向する対向壁部１５（Ｆ，Ｂ）に、連結孔４９，５２に挿入される係止フック２０が並設され、係止孔７６（Ｆ，Ｂ）が、連結孔４９，４９間に１つ配設される構成とし、係止突起７８（Ｆ，Ｂ）が、ケース１２側の対向壁部１５（Ｆ，Ｂ）から突設される突出量ＰＰを、係止フック２０の突出量ＰＦより、小さく設定されている。
【００７２】
そのため、実施形態では、図１２，１３，１５に示すように、係止フック２０を連結孔４９，５２に挿入させる際、連結孔４９，５２を設けたエアバッグカバー４０の対向壁部４６（Ｆ，Ｂ）を、係止フック２０を設けたケース１２の対向壁部１５（Ｆ，Ｂ）の外側に、被せるように配置させた状態で、エアバッグカバー４０の扉配設壁部４１をケース１２のベース壁部１３に接近させるように移動させる。その際、係止突起７８（Ｆ，Ｂ）の突出量ＰＰより係止フック２０の突出量ＰＦが大きく、かつ、連結孔４９，４９の間に係止孔７６（Ｆ，Ｂ）が配設されていることから、内側面４６ａを係止フック２０に押されて、エアバッグカバー４０の連結壁部４５における係止孔７６（Ｆ，Ｂ）と連結孔４９，５２とを設けた長さ寸法ＬＬの長い対向壁部４６Ｆ，４６Ｂが、容易に、膨らむように撓み、そして、連結完了位置ＣＣＰに配置されれば、係止フック２０が連結孔４９，５２に挿入される。この連結完了位置ＣＣＰへの配置時には、離隔規制部７５（Ｆ，Ｂ）の連結作業も完了されて、ケース１２の係止突起７８（Ｆ，Ｂ）が、エアバッグカバー４０の係止孔７６（Ｆ，Ｂ）に挿入されて、係止孔７６（Ｆ，Ｂ）の内周側部位としての内周面７６ａの係止面７７を係止することとなる。すなわち、係止突起７８（Ｆ，Ｂ）の突出量ＰＰよりも係止フック２０の突出量ＰＦが大きく、かつ、連結孔４９，４９の間に係止孔７６（Ｆ，Ｂ）が配置されていることから、係止フック２０を連結孔４９，５２に係止させる連結完了位置ＣＣＰに配置させる際、撓んだエアバッグカバー４０の係止孔７６（Ｆ，Ｂ）を有した対向壁部４６Ｆ，４６Ｂは、係止突起７８（Ｆ，Ｂ）との接触を抑制された状態として、移動し、そして、連結完了位置ＣＣＰに配置されれば、撓みが解消されるように復元され、自動的に、係止突起７８（Ｆ，Ｂ）が係止孔７６（Ｆ，Ｂ）に挿入されて所定の内周側部位としての内周面７６ａの係止面７７を係止できることとなる。そのため、係止孔７６（Ｆ，Ｂ）の内周側部位としての内周面７６ａの係止面７７を係止できる係止面７９を有していれば、係止突起７８（Ｆ，Ｂ）は、連結作業途中の連結壁部４５との摺動を考慮せずに済み、ケース１２の筒状壁部１４からの突出形状の自由度が大きく、プレス加工等の製造工程の容易な形状を採用することができる。ちなみに、実施形態の場合は、係止突起７８（Ｆ，Ｂ）は、略長方形板状として、ケース１２の筒状壁部１４から、単に、切り起こして、直交するように突設させており、ケース１２の板金素材から、容易に形成することができる。
【００７３】
また、実施形態のエアバッグ装置１０では、係止フック２０を挿入させる連結孔５２が、係止フック２０の左右方向の幅寸法ＦＷ１より、広い幅寸法ＨＷ２の幅広部５３と、係止フック２０の左右方向の幅寸法ＦＷ１と同等の幅寸法ＨＷ３の幅狭部５４と、を備えて、図１４，１５に示すように、エアバッグカバー４０が連結完了位置ＣＣＰに配置された際、幅狭部５４に、係止フック２０が嵌って、係止フック２０の突出杆部２０ａが、幅狭部５４の左右の内周面部５４ａ，５４ｂ間に挟持される状態となって、エアバッグカバー４０が、ケース１２に対して、第２方向ＤＶ２としての左右方向に沿うガタツキを防止される。
【００７４】
さらに、エアバッグカバー４０が連結完了位置ＣＣＰに配置された際には、ケース１２の筒状壁部１４における前後方向に沿って対向する対向壁部１５（Ｆ，Ｂ）の先端１５ａの外側へ突出した張出部１５ｂが、エアバッグカバー４０の連結壁部４５における前後方向に沿って対向する対向壁部４６（Ｆ，Ｂ）の内側面４６ａに、当接されて、エアバッグカバー４０が、ケース１２に対して、第１方向ＤＶ１としての前後方向に沿うガタツキを防止される（図５参照）。
【００７５】
すなわち、連結孔５２における係止フック２０の嵌合と、張出部１５ｂにおける連結壁部４５の内側面４６ａへの当接とにより、エアバッグカバー４０が、ケース１２に対して、前後方向と左右方向とのガタツキ、換言すれば、前後左右のズレ、を生じさせずに連結される。そのため、エアバッグカバー４０の扉配設壁部４１の扉部４２（Ｆ，Ｂ）が、ケース１２の突出用開口１２ａに対して、前後左右の位置ずれを発生させることなく、配置されることから、すなわち、破断予定部４３が、突出用開口１２ａに対して、位置ズレ無く配置されて、エアバッグ１１の膨張時に、安定して破断し、円滑に、ヒンジ部４２ａを回転中心として、扉部４２（Ｆ，Ｂ）が開き、安定したエアバッグ１１の展開膨張を挙動を確保できることとなる。
【００７６】
なお、実施形態では、助手席の乗員の膝を保護するための膝保護用のエアバッグ装置１０について説明したが、ケースの筒状壁部に設けた係止フックを、エアバッグカバーの連結壁部の連結孔に挿入させて、係止フックにより、エアバッグカバーをケースに連結されるエアバッグ装置であれば、膝保護用エアバッグ装置に限定されること無く、助手席の乗員の上半身を保護する助手席用エアバッグ装置等に、本発明を適用してもよい。
【符号の説明】
【００７７】
１０…（膝保護用）エアバッグ装置、１１…エアバッグ、１２…ケース、１２ａ…突出用開口、１３…ベース壁部、１４…筒状壁部、１５（Ｆ，Ｂ），１６（Ｌ，Ｒ）…（ケース側の）対向壁部、２０…係止フック、４０…エアバッグカバー、４１…扉配設壁部、４２（Ｆ，Ｂ）…扉部、４５…連結壁部、４６（Ｆ，Ｂ），４７（Ｌ，Ｒ）…（カバー側の）対向壁部、４７ａ…先端部、４９，５２…連結孔、７０（Ｌ，Ｒ）…接近規制部、７１（Ｌ，Ｒ）…当接部、７１ａ…先端面、７２（Ｌ，Ｒ）…受止座、７２ａ…受止面、７５（Ｆ，Ｂ）…離隔規制部、７６（Ｆ，Ｂ）…係止孔、７６ａ…（内周側部位）内周面、７７…係止面、７８（Ｆ，Ｂ）…係止突起、７９…係止面、
ＣＣＰ…連結完了位置、ＤＶ１…第１方向、ＤＶ２…第２方向、ＣＤ…接近方向、ＲＤ…離隔方向、
ＰＦ…（係止フック）突出量、ＰＰ…（係止突起）突出量、ＬＬ，ＬＶ…（対向壁部）幅寸法・長さ寸法。
【図１】
2019119263.tif 000003
【図２】
2019119263.tif 000004
【図３】
2019119263.tif 000005
【図４】
2019119263.tif 000006
【図５】
2019119263.tif 000007
【図６】
2019119263.tif 000008
【図７】
2019119263.tif 000009
【図８】
2019119263.tif 000010
【図９】
2019119263.tif 000011
【図１０】
2019119263.tif 000012
【図１１】
2019119263.tif 000013
【図１２】
2019119263.tif 000014
【図１３】
2019119263.tif 000015
【図１４】
2019119263.tif 000016
【図１５】
2019119263.tif 000017